(57)【要約】【課題】エアコンを斜面等に据付ける場合、従来、矩形状の架台を斜面に取付けその上にフランジ状に角度を変化できる架台を設けていた。架台が大きくなる事、斜面の状態により数種の架台を準備する必要がある事、又安定性などが確保出来難い場合もあった。【解決手段】設置面に固定するためのベースチャンネル１と、エアコンを取付けるための取付けチャンネル２を分離して作成し、２つのチャンネルを勘合させて、その組合わせの角度、一体とする為のボルト位置を選択する事で、設置面角度にかかわらずエアコン取付け面を水平に保持でき、設置面の傾斜に関係なく、確実に又容易にエアコンを設置できるエアコン架台である。【選択図】  図１
2006118843.tif 000002
【特許請求の範囲】
【請求項１】
エアコン、室外機等を据付る為の架台で、設置面に固定できるベースチャンネルと、エアコンを取付ける取付けチャンネルが締付けボルトで一体に勘合されており、勘合の角度を調整することによりエアコン取付け面の水平を確保し、エアコン取付け穴を利用し、設置面の状態に関係なくエアコンを設置する事の出来るエアコン架台。
【発明の詳細な説明】
【技術分野】
【０００１】本発明はエアコン、室外機等を、平地は勿論、傾斜のある屋根上或いは立屋周囲の犬走り部、更には壁面等にも設置する事ができる架台に関する。
【背景技術】
【０００２】エアコンの取り付けに使用される据付架台は特開平６−３１７３４１、特開２００２−３４９９０８、実用新案第３０２９６４５号等に示されるように、大別して平地用屋根用、壁面用、天吊り用などに分けられ、設置場所に応じた架台を予め準備しておき、エアコンを設置するのが通常であった。【０００３】
【特許文献１】特開平６−３１７３４１号公報
【特許文献２】特開２００２−３４９９０８号公報
【特許文献３】実用新案第３０２９６４５号公報
【発明の開示】
【発明が解決しようとする課題】
【０００４】従来技術でエアコンを据付けるための架台は、ベース架台と取付架台からなり、あらかじめ取付け場所、エアコンサイズ等に合わせて矩形の架台を準備しておく必要があった、このため部品点数が多くなり、架台サイズが比較的大きくなり、取り扱い難い場合もみうけられた。
又、あらかじめ一体となったベース架台を用いるため設置面の傾斜状態によっては、ベース架台を安定的に設置する事が難しい場合も生じていた。【０００５】本発明は、上記のような従来の構成のエアコン架台での問題を解決しようとする架台であり、取り扱い易く、取付場所の傾斜、等に関係なく、あらゆる場所に、容易に安定的にエアコンを設置できるエアコン架台である。
【課題を解決するための手段】
【０００６】本発明は、上記課題を解決するために、断面がコ字形で設置面に固定するベースチャンネルとその内側に嵌り込み、エアコンを取付けるための取付けチャンネルを組み合わせる事でチャンネル状の架台として使用する。設置面の状態により取付けチャンネルの嵌め合い角度を調整する、或いは、使用するボルト位置を替えることにより、取付けチャンネルの底面を水平に調整して、この水平面を使用してエアコンを設置するものである。ベースチャンネルと取付けチャンネルはそれぞれ側面に設けたボルト穴を貫通するボルトで一体に固定される。【０００７】ベースチャンネルは底面のボルト穴を利用して設置面に固定される。
ベースチャンネルの側面には、取付けチャンネルを固定する為のボルト穴を数ヶ所に設けておき、設置面の状態に応じて、選択した穴を使用して、取付けチャンネルを固定する。内側に嵌込む取付けチャンネルの側面には、ベースチャンネルに対応して、角度調整の可能な長穴、及び固定用のボルト穴を数ヶ所設けておき、取付けチャンネルのエアコン取付け面が水平を保つように角度調整をし、貫通したボルトで締め付けて固定する。
このベースチャンネルと取付けチャンネルからなる架台をエアコンサイズ、或いは設置面状態に応じて複数本使用することで、傾斜角度の異なる設置面にも同一の架台でエアコンを安定して設置する事が可能である。
又ベースチャンネルを壁面に取付け、それと直角に取付けチャンネルを組み合わせる事で、垂直な壁面へのエアコン設置も可能である。【０００８】ベースチャンネルと取付けチャンネルが分離できる構造であり、ベースチャンネルだけを先に設置面に確実に固定しておき、その上で取付けチャンネルをベースチャンネルに固定する事が可能で、容易で確実な取付け作業が可能である。【０００９】本発明のベースチャンネル、取付けチャンネルに使用する材料の材質は特に限定されるものではなく、鉄、ステンレス、アルミ等の金属、或いはプラスチック、ＦＲＰなどが使用可能である。【００１０】エアコンのサイズ、使用される条件により、使用する材料の強度、耐食性などを選択しなければならない。強度面では使用されるエアコンの重量に長期的に耐えるサイズ及び厚さを選択すればよい。又、耐蝕性を確保する為に、チャンネル表面に塗装、メッキ、アルマイトト処理などの表面処理を施しておく事は、耐食性を向上し長期的な使用にたいして望ましいとともに、架台の外観品質を向上させる為には効果がある。【００１１】本発明の架台はチャンネル状架台を複数本設置することで、どのような傾斜でも自由に対応でき、更には壁面でもエアコンを安定して設置する事が可能な架台である。
【発明の効果】
【００１２】上述のごとく、本発明のエアコン架台は大きな架台を使用する事無く、取り扱いの容易なチャンネルを組み合わせることにより架台とするものである。組み合わせたチャンネル架台を複数本使用することで傾斜面に自由に設置する事ができる。【００１３】使用するチャンネルの角度を直角に調整する事で壁面へのエアコン取付けも容易にできる。更にベースチャンネルと取付けチャンネルは組立てが容易であり、設置面へ取付ける際、先行してベースチャンネルのみをアンカーボルトなどを使用して、設置面に取付けておき、その後で取付けチャンネルをベースチャンネルに組付けることも出来るため、確実な設置が可能となり、工事の際の手間も大幅に簡単化できる。
【発明を実施するための最良の形態】
【００１４】以下、本発明の実施の形態を〔図１〕〜〔図７〕により説明する。
〔図１〕は本発明のエアコン架台の構造を示す斜視図であり、設置面にベースチャンネル１が設置ボルト３で固定されており、ベースチャンネル１に、嵌り込む形で取付チャンネル２が勘合され、固定ボルト４と、調整ボルト５で一体に構成されている。取付チャンネル２の底面は調整ボルト５の位置を調整することにより水平を確保し、エアコン取付穴１０を使用してエアコンを取付る事が出来る。本発明の架台を複数本使用することで、エアコンを安定して設置する事が可能である。【００１５】〔図２〕は本発明のエアコン架台を構成するベースチャンネル１の構造を示す斜視図であり、断面はコの字型をしており、側面は底面に対して直角に構成され、側面の端部は、底面にたいして勾配を有している。底面には設置面に固定する設置ボルト３を通すための設置ボルト穴５が数ヶ所設けられている。
又側面には取付チャンネル２を固定するための、固定ボルト穴６、固定ボルト穴７固定ボルト穴８、固定ボルト穴９が設けられている。【００１６】〔図３〕は本発明のエアコン架台を構成し、エアコンを取付けるための取付チャンネル２の構造を示す。断面形状はベースチャンネル１と同様にコの字型であるが、ベースチャンネル１の内側に嵌り込むために、取付けチャンネル２の外幅はベースチャンネル１の内幅より狭く作成しておく。側面は底面に対して直角に構成され、側面の端部は底面に対して勾配を有している。取付けチャンネル２の底面にはエアコンを取り付ける為のエアコン取付け穴１０を数ヶ所設けておく。又側面にはベースチャンネル１にボルトで固定するための固定ボルト穴１１、ボルト位置を変更して角度を調整する為の調整ボルト穴１２、調整ボルト穴１３、をそれぞれ設けておく。調整ボルト穴１２、及び調整ボルト穴１３は底面の角度を調整できるように、長穴としておく必要がある。
【実施例】
【００１７】〔図４〕から〔図７〕に設置面の状況による架台の実施例を側面図により示す。
〔図４〕は水平な設置面にエアコンを設置する場合を示すもので、設置面に固定されたベースチャンネル１に対して、側面の勾配が同一の向きになるよう取付けチャンネル２を勘合させ、固定ボルト穴６と調整ボルト穴１３、固定ボルト穴８と固定ボルト穴１１をそれぞれ貫通するボルトで締め付け、取付けチャンネル２の底面が水平になるように調整する。エアコン取付け穴１０を使用して、取付けチャンネル２の底面にエアコンを固定する。
このチャンネル状架台を複数本使用することで、安定してエアコンを設置する事が可能である。【００１８】〔図５〕は比較的傾斜の少ない勾配を有する設置面にエアコンを設置する場合を示すもので、設置面に固定されたベースチャンネル１に対して、側面の勾配が互いに逆転する向きに取付けチャンネル２を勘合させ、固定ボルト穴７と調整ボルト穴１２、固定ボルト穴８と調整ボルト穴１３にそれぞれ貫通するボルトで締め付け、ボルト位置を調整して取付けチャンネルの底面が水平になるように調整する。
エアコン取付け穴１０を使用して取付けチャンネル２の底面にエアコンを固定する。このチャンネル状の架台を複数本使用することで、安定してエアコンを設置する事が可能である。【００１９】〔図６〕は比較的傾斜の大きな勾配を有する設置面にエアコンを設置する場合を示すもので、設置面に固定されたベースチャンネル１に対して、側面の勾配が互いに逆転する向きに取付けチャンネル２を勘合させ、固定ボルト穴６と固定ボルト穴１１、固定ボルト穴８と調整ボルト穴１３にそれぞれ貫通するボルトで締め付け、ボルト位置を調整して取付けチャンネル２の底面が水平になるように調整する。
エアコン取付穴１０を使用して取付けチャンネル２の底面にエアコンを固定する。
このチャンネル状架台を複数本使用することで、安定してエアコンを設置する事ができる。【００２０】〔図７〕は壁面等垂直な設置面にエアコンを設置する場合を示すもので、垂直面にベースチャンネル１をとりつける。ベースチャンネル１と直角になる方向で、取付けチャンネル２を勘合させ、固定ボルト穴９と調整ボルト穴１３にそれぞれ貫通するボルトで締め付け、取付けチャンネルの底面が水平になるように調整する。エアコン取付穴１０を使用して取付けチャンネル２の底面にエアコンを固定する。
この直角状架台を複数本使用することで、安定してエアコンを設置する事ができる。
【図面の簡単な説明】
【００２１】
【図１】  本発明の実施形態を示す架台の斜視図
【図２】  本発明の架台を構成するベースチャンネルの斜視図
【図３】  本発明の架台を構成する取付けチャンネルの斜視図
【図４】  本発明の架台を水平な設置面に使用する場合の側面図
【図５】  本発明の架台を緩い勾配の有る設置面に使用する場合の側面図
【図６】  本発明の架台を大きい勾配の有る設置面に使用する場合の側面図
【図７】  本発明の架台を垂直な設置面に使用する場合の側面図
【符号の説明】
【００２２】  １  ベースチャンネル
２  取付けチャンネル
３  設置ボルト
４  固定ボルト
５  調整ボルト
１０エアコン取付け穴
【図１】
2006118843.tif 000003
【図２】
2006118843.tif 000004
【図３】
2006118843.tif 000005
【図４】
2006118843.tif 000006
【図５】
2006118843.tif 000007
【図６】
2006118843.tif 000008
【図７】
2006118843.tif 000009